(57)【要約】【課題】熱交換器の構造を複雑にすることなく、いろいろな運転モードが可能で、しかも、省エネを推進した自動販売機を提供する。【解決手段】自動販売機１０００は、圧縮機１と、ガスクーラ２と、冷却用膨張手段３と、全ての商品収納庫に設置された蒸発器４と、一部の商品収納庫に設置されたヒートポンプ運転用凝縮器５と、ヒートポンプ運転用膨張手段６と、蒸発器４と圧縮機１とを連結する低圧中温配管４１の一部の内部に、ガスクーラ２と冷却用膨張手段３とを連結する冷却用高圧中温配管２３の一部が挿入されると共に、低圧中温配管４１の外周に、ヒートポンプ運転用凝縮器５とヒートポンプ運転用膨張手段６とを連結するヒートポンプ運転用高圧中温配管５６の一部が捲回されて形成された熱交換器９と、を有する。【選択図】図３
2010020711.tif 000002
【特許請求の範囲】
【請求項１】
断熱材によって囲まれ一面に開口部を具備する筐体と、
前記開口部を開閉する断熱扉と、
前記筐体を仕切板によって分割された複数の商品収納庫と、
前記商品収納庫を選択的に冷却または加熱するための冷凍サイクルユニットと、
を有し、
前記冷凍サイクルユニットが、冷媒を圧縮する圧縮機（１）と、
前記商品収納庫の外部に設置され、前記圧縮機（１）によって圧縮された冷媒が選択的に供給されるガスクーラ（２）と、
該ガスクーラ（２）によって冷却された冷媒を膨張させる冷却用膨張手段（３）と、
前記商品収納庫のうちの一部の商品収納庫の内部に設置され、前記圧縮機（１）によって圧縮された冷媒が選択的に供給されるヒートポンプ運転用凝縮器（５）と、
該ヒートポンプ運転用凝縮器（５）において凝縮した冷媒を膨張させるヒートポンプ運転用膨張手段（６）と、
前記商品収納庫の内部に設置され、前記冷却用膨張手段（３）において膨張した冷媒または前記ヒートポンプ運転用膨張手段（６）において膨張した冷媒が選択的に供給され、これを蒸発させる蒸発器（４）と、
前記蒸発器（４）と前記圧縮機（１）とを連結する低圧中温配管（４１）の一部の内部に、前記ガスクーラ（２）と前記冷却用膨張手段（３）とを連結する冷却用高圧中温配管（２３）の一部が挿入されると共に、前記低圧中温配管（４１）の外周に、前記ヒートポンプ運転用凝縮器（５）と前記ヒートポンプ運転用膨張手段（６）とを連結するヒートポンプ運転用高圧中温配管（５６）の一部が捲回されて形成された熱交換器（９）と、
を有することを特徴とする自動販売機。
【請求項２】
前記熱交換器（９）において、低圧中温配管（４１）の外周と前記ヒートポンプ運転用高圧中温配管（５６）との当接部の一部または全部が冶金的に接続されていることを特徴とする請求項１記載の自動販売機。
【請求項３】
断熱材によって囲まれ一面に開口部を具備する筐体と、
前記開口部を開閉する断熱扉と、
前記筐体を仕切板によって分割された複数の商品収納庫と、
前記商品収納庫を選択的に冷却または加熱するための冷凍サイクルユニットと、
を有し、
前記冷凍サイクルユニットが、冷媒を圧縮する圧縮機（１）と、
前記商品収納庫の外部に設置され、前記圧縮機（１）によって圧縮された冷媒が選択的に供給されるガスクーラ（２）と、
該ガスクーラ（２）によって冷却された冷媒を膨張させる冷却用膨張手段（３）と、
前記商品収納庫のうちの一部の商品収納庫の内部に設置され、前記圧縮機（１）によって圧縮された冷媒が選択的に供給されるヒートポンプ運転用凝縮器（５）と、
該ヒートポンプ運転用凝縮器（５）において凝縮した冷媒を膨張させるヒートポンプ運転用膨張手段（６）と、
前記商品収納庫の内部に設置され、前記冷却用膨張手段（３）において膨張した冷媒または前記ヒートポンプ運転用膨張手段（６）において膨張した冷媒が選択的に供給され、これを蒸発させる蒸発器（４）と、
前記蒸発器（４）と前記圧縮機（１）とを連結する低圧中温配管（４１）の一部の内部に、前記ガスクーラ（２）と前記冷却用膨張手段（３）とを連結する冷却用高圧中温配管（２３）の一部が挿入されて形成された冷却運転用熱交換器（７）と、
前記低圧中温配管（４１）の一部の内部に、前記ヒートポンプ運転用凝縮器（５）と前記ヒートポンプ運転用膨張手段（６）とを連結するヒートポンプ運転用高圧中温配管（５６）の一部が挿入されて形成されたヒートポンプ運転用熱交換器（８）と、
を有することを特徴とする自動販売機。
【請求項４】
前記商品収納庫の外部に設置され、前記ヒートポンプ運転用膨張手段（６）において膨張した冷媒を供給することができる庫外蒸発器（１０）を有することを特徴とする請求項１乃至３の何れかに記載の自動販売機。
【発明の詳細な説明】
【技術分野】
【０００１】
本発明は自動販売機、特に、缶、ビン、パック、ペットボトル等の容器に入れた飲料等の商品を冷却または加熱して販売に供する自動販売機に関する。
【背景技術】
【０００２】
従来、自動販売機は、冷媒を圧縮する圧縮機と、圧縮された冷媒を凝縮させる凝縮器（ガスクーラに同じ）と、凝縮された冷媒を膨張させる膨張手段と、膨張した冷媒を蒸発させる蒸発器と、これらを順次連結して冷媒を循環させる配管と、から形成された冷凍サイクルを有し、商品を収納する各商品収納庫内に蒸発器を設置して、商品を冷却している。
一方、商品を加熱するためには、商品収納庫内に通電ヒータを設置していたが、省エネの観点から、冷凍サイクルにおける温熱を利用する（ヒートポンプ運転をするに同じ）発明が開示されている（例えば、特許文献１参照）。
【０００３】
【特許文献１】特開２００６−０１１４９３号公報（第３−４頁、図１）
【発明の開示】
【発明が解決しようとする課題】
【０００４】
しかしながら、特許文献１に開示された発明は、冷却用配管を有する冷却用熱交換器と、加熱用配管および冷却用配管を有する加熱冷却用熱交換器と、を別々の商品収納庫に配置し、圧縮機を共通にした、冷却用配管を具備する冷却用冷凍サイクルと、加熱用配管を具備する加熱用冷凍サイクルと、を形成したものである。
したがって、加熱冷却用熱交換器の構造が複雑になると共に、加熱能力および冷却能力を何れも満足するためには大型になるという問題があった。
また、加熱用冷凍サイクルを冷媒が流れるときは、冷却用配管に冷媒が流れないため、一方の商品収納庫を加熱すると共に、他方の商品収納庫を冷却する運転ができないという問題があった。
【０００５】
本発明は上記問題を解決するものであって、商品収納庫に配置される熱交換器の構造を複雑にすることなく、一方の商品収納庫を加熱すると共に、他方の商品収納庫を冷却する運転が可能で、しかも、省エネを推進した自動販売機を提供することを目的とする。
【課題を解決するための手段】
【０００６】
（１）本発明に係る自動販売機（請求項１）は、断熱材によって囲まれ一面に開口部を具備する筐体と、
前記開口部を開閉する断熱扉と、
前記筐体を仕切板によって分割された複数の商品収納庫と、
前記商品収納庫を選択的に冷却または加熱するための冷凍サイクルユニットと、
を有し、
前記冷凍サイクルユニットが、冷媒を圧縮する圧縮機（１）と、
前記商品収納庫の外部に設置され、前記圧縮機（１）によって圧縮された冷媒が選択的に供給されるガスクーラ（２）と、
該ガスクーラ（２）によって冷却された冷媒を膨張させる冷却用膨張手段（３）と、
前記商品収納庫のうちの一部の商品収納庫の内部に設置され、前記圧縮機（１）によって圧縮された冷媒が選択的に供給されるヒートポンプ運転用凝縮器（５）と、
該ヒートポンプ運転用凝縮器（５）において凝縮した冷媒を膨張させるヒートポンプ運転用膨張手段（６）と、
前記商品収納庫の内部に設置され、前記冷却用膨張手段（３）において膨張した冷媒または前記ヒートポンプ運転用膨張手段（６）において膨張した冷媒が選択的に供給され、これを蒸発させる蒸発器（４）と、
前記蒸発器（４）と前記圧縮機（１）とを連結する低圧中温配管（４１）の一部の内部に、前記ガスクーラ（２）と前記冷却用膨張手段（３）とを連結する冷却用高圧中温配管（２３）の一部が挿入されると共に、前記低圧中温配管（４１）の外周に、前記ヒートポンプ運転用凝縮器（５）と前記ヒートポンプ運転用膨張手段（６）とを連結するヒートポンプ運転用高圧中温配管（５６）の一部が捲回されて形成された熱交換器（９）と、
を有することを特徴とする。
【０００７】
（２）本発明に係る自動販売機（請求項２）は、前記（１）の熱交換器（９）において、前記低圧中温配管（４１）の外周と前記ヒートポンプ運転用高圧中温配管（５６）との当接部の一部または全部が冶金的に接続されていることを特徴とする。
【０００８】
（３）本発明に係る自動販売機（請求項３）は、断熱材によって囲まれ一面に開口部を具備する筐体と、
前記開口部を開閉する断熱扉と、
前記筐体を仕切板によって分割された複数の商品収納庫と、
前記商品収納庫を選択的に冷却または加熱するための冷凍サイクルユニットと、
を有し、
前記冷凍サイクルユニットが、冷媒を圧縮する圧縮機（１）と、
前記商品収納庫の外部に設置され、前記圧縮機（１）によって圧縮された冷媒が選択的に供給されるガスクーラ（２）と、
該ガスクーラ（２）によって冷却された冷媒を膨張させる冷却用膨張手段（３）と、
前記商品収納庫のうちの一部の商品収納庫の内部に設置され、前記圧縮機（１）によって圧縮された冷媒が選択的に供給されるヒートポンプ運転用凝縮器（５）と、
該ヒートポンプ運転用凝縮器（５）において凝縮した冷媒を膨張させるヒートポンプ運転用膨張手段（６）と、
前記商品収納庫の内部に設置され、前記冷却用膨張手段（３）において膨張した冷媒または前記ヒートポンプ運転用膨張手段（６）において膨張した冷媒が選択的に供給され、これを蒸発させる蒸発器（４）と、
前記蒸発器（４）と前記圧縮機（１）とを連結する低圧中温配管（４１）の一部の内部に、前記ガスクーラ（２）と前記冷却用膨張手段（３）とを連結する冷却用高圧中温配管（２３）の一部が挿入されて形成された冷却運転用熱交換器（７）と、
前記低圧中温配管（４１）の一部の内部に、前記ヒートポンプ運転用凝縮器（５）と前記ヒートポンプ運転用膨張手段（６）とを連結するヒートポンプ運転用高圧中温配管（５６）の一部が挿入されて形成されたヒートポンプ運転用熱交換器（８）と、
を有することを特徴とする。
【０００９】
（４）本発明に係る自動販売機（請求項４）は、前記（１）乃至（３）の何れかにおいて、前記商品収納庫の外部に設置され、前記ヒートポンプ運転用膨張手段（６）において膨張した冷媒を供給することができる庫外蒸発器（１０）を有することを特徴とする。
【発明の効果】
【００１０】
（ｉ）本発明の請求項１に係る自動販売機は、
一部の商品収納庫には蒸発器（４）と凝縮器（５）とが設置されるから、それぞれは、構造を複雑にすることなく、所定の熱交換能力を有するものにすることができる。また、冷却用膨張手段（３）において膨張した冷媒を全ての蒸発器（４）に供給すれば全ての商品収納庫を冷却することができ、一部の商品収納庫を通過した冷媒をヒートポンプ運転用膨張手段（６）において膨張した後、その他の商品収納庫に供給すれば、前者を加熱して後者を冷却する運転をすることができる。
さらに、熱交換器（８）において、冷却用膨張手段（３）またはヒートポンプ運転用膨張手段（６）に流入直前の冷媒が保有する温熱の一部が、圧縮機（１）に流入直前の冷媒に受け渡されるから、圧縮機（１）の負荷が低減され省エネが促進される。
【００１１】
（ｉｉ）本発明の請求項２に係る自動販売機は、前記効果に加え、熱交換器（９）において、前記低圧中温配管（４１）の外周と前記ヒートポンプ運転用高圧中温配管（５６）との当接部の一部または全部が冶金的に接続されているから、両者の間の熱伝達が促進され、省エネ効果が増す。
【００１２】
（ｉｉｉ）本発明の請求項３に係る自動販売機は、冷却運転用熱交換器（７）と、ヒートポンプ運転用熱交換器（８）とを有するから、前記（ｉ）と同様の効果を奏する。
【００１３】
（ｉｖ）本発明の請求項４に係る自動販売機は、庫外蒸発器（１０）を有するから、一部の商品収納庫を加熱し、その他の商品収納庫を冷却しない運転をすることができる。
【発明を実施するための最良の形態】
【００１４】
［実施の形態１］
（自動販売機）
図１〜図４は本発明の実施の形態１に係る自動販売機を説明するものであって、図１は正面視の断面図、図２は側面視の断面図、図３はこれに設置された冷却回路の構成図、図４は部分（三重式熱交換器）の実施例を模式的に示す一部断面の斜視図である。
図１および図２において、自動販売機１０００は、自動販売機１０００の本体のキャビネット２００と、キャビネット２００の内部で断熱材３００に包囲された商品収納庫４００と、商品Ｓを補充する時に商品収納庫４００を開閉する商品補充用扉４０４と、商品収納庫４００と外気を遮断するための内扉４０５と、自動販売機１０００の前扉４０６と、を有している。
商品収納庫４００は仕切り板４０３ａｂ、４０３ｂｃによって商品室（以下、「左室」と称す）４００ａ、商品室（以下、「中室」と称す）４００ｂ、商品室（以下、「右室」と称す）４００ｃに仕切られている。
なお、以下の説明において、左室４００ａ、中室４００ｂおよび右室４００ｃのそれぞれに配置される部材において、共通する内容を説明する場合には、それぞれをまとめてまたはそれぞれを個別に、部材名称を形容する「左室、中室、右室」を省略して符号の「ａ、ｂ、ｃ」を省略する場合がある。
【００１５】
各商品収納庫４００には、商品Ｓを収納するための商品収納ラック４０７と、商品収納ラック４０７から自然落下した商品Ｓを取出すための商品取出し口４０９と、商品Ｓを商品取出し口４０９まで誘導する商品誘導板４０８とが設置され、商品誘導板４０８の下方が庫内部品収納室４１０となっている。また、庫内空気を商品収納ラック４０７を経由して庫内部品収納室４１０に循環させるための循環ダクト４２０が設置されている。
そして、庫内部品収納室４１０には、庫内空気を商品誘導板４０８（通気孔が設けられている）を通過して商品Ｓに衝突させる送風手段４３０と、送風手段４３０の下流側（循環ダクト４２０から遠い側）に庫内熱交換器４４０と、送風手段４３０および庫内熱交換器４４０を収納する送風ダクト４５０と、送風ダクト４５０に連通して空気を通す風洞４６０と、が設置されている。
さらに、商品収納庫４００の下方には、コンデンシングユニット４７０および庫外ファン４８１を収納するための機械室４８０と、電装品を収納するための電装品収納室４９０とが配置されている。
【００１６】
（冷媒回路：冷却用）
図３において、自動販売機１０００は、冷媒を圧縮する圧縮機１と、圧縮機１により圧縮された冷媒（以下「高圧高温冷媒」と称す）を冷却する熱交換器（以下「ガスクーラ」と称す）２と、ガスクーラ２により冷却された冷媒（以下「高圧中温冷媒」と称す）を膨張する冷却用膨張手段３（たとえば、電子膨張手段、キャピラリなど）と、冷却用膨張手段３により膨張された冷媒（以下「低圧低温冷媒」と称す）を蒸発させる左室４００ａに配置された左室蒸発器４ａおよび中室４００ｂに配置された中室蒸発器４ｂおよび右室４００ｃに配置された右室蒸発器４ｃ（庫内熱交換器４４０を構成している）と、を有している。
そして、圧縮機１とガスクーラ２とは開閉弁１２ｖが設置された冷却用高圧高温配管１２によって連結され、ガスクーラ２と冷却用膨張手段３とは三重式熱交換器９を通過する冷却用高圧中温配管２３によって連結され、冷却用膨張手段３と蒸発器４とは開閉弁３４ｖおよび流量調整弁３４ｗが設置された低圧低温配管３４によって連結され、蒸発器４と圧縮機１とは三重式熱交換器９を通過する低圧中温配管４１によって連結されている。
【００１７】
（冷媒回路：ヒートポンプ運転用）
また、自動販売機１０００は、冷媒を圧縮する圧縮機１と、圧縮機１により圧縮された冷媒（以下「高圧高温冷媒」と称す）を冷却する左室４００ａに配置されたヒートポンプ運転用凝縮器５（庫内熱交換器４４０を構成している）と、ヒートポンプ運転用凝縮器５を通過した冷媒を膨張するヒートポンプ運転用膨張手段６（たとえば、電子膨張手段、キャピラリなど）と、を有している。
そして、圧縮機１とヒートポンプ運転用凝縮器５とが、開閉弁１５ｖが設置されたヒートポンプ運転用高圧高温配管１５によって転結され、ヒートポンプ運転用凝縮器５とヒートポンプ運転用膨張手段６が三重式熱交換器９を通過するヒートポンプ運転用高圧中温配管５６によって連結され、ヒートポンプ運転用膨張手段６の出側は、開閉弁３４ｖの上流側（冷却用膨張手段３の出側に同じ）において低圧低温配管３４に接続されている。
すなわち、左室４００ａには、冷却用の左室蒸発器４ａと加熱用のヒートポンプ運転用凝縮器５とが配置されているから、それぞれの構造を複雑にすることなく、所望の熱交換性能を有するものにすることができる。
【００１８】
（ＣＣＣ運転モード）
図３の（ａ）において、全ての商品収納庫４００を冷却するＣＣＣ運転モードのとき、圧縮機１において圧縮された冷媒はガスクーラ２を経由して冷却用膨張手段３に流入し、冷却用膨張手段３において膨張した後、全ての商品収納庫４００に供給される。そして、全ての商品収納庫４００を冷却した（冷熱を放出した）後、圧縮機１に戻る循環をする。
そして、三重式熱交換器９において、ガスクーラ２から流出した高圧中温冷媒が保有する温熱の一部が、圧縮機１に流入する直前の低圧中温冷媒に受け渡される。したがって、圧縮機１の負荷が低減（過熱度が増すに同じ）され、省エネが促進される。
【００１９】
このとき、開閉弁１５ｖが閉じているから、高圧高温冷媒がヒートポンプ運転用凝縮器５に流入することがない。また、開閉弁５６ｖが閉じてヒートポンプ運転用膨張手段６が設置されている（電子膨張弁の場合、開度が最小面積に絞られている）から、高圧中温冷媒がヒートポンプ運転用凝縮器５に流入することがない。
なお、低圧低温配管３４にはそれぞれ流量調整弁３４ｗが設置されているから、商品収納庫４００は、それぞれに流入する低圧低温冷媒の量が調整されることによって、所定の温度に制御されている。
【００２０】
（ＨＣＣ運転モード）
図３の（ｂ）において、左室４００ａを加熱して、中室４００ｂと右室４００ｃを冷却するＨＣＣ運転モードのとき、圧縮機１において圧縮された冷媒は、まず、ヒートポンプ運転用凝縮器５に流入して左室４００ａを加熱する。その後、ヒートポンプ運転用凝縮器５から流出した高圧中温冷媒は三重式熱交換器９を通過してヒートポンプ運転用膨張手段６に流入し、ヒートポンプ運転用膨張手段６において膨張した低圧低温冷媒は、中室蒸発器４ｂおよび右室蒸発器４ｃに流入する。さらに、中室蒸発器４ｂおよび右室蒸発器４ｃから流出した低圧中温冷媒は、三重式熱交換器９を通過して圧縮機１に戻る循環をする。
すなわち、三重式熱交換器９において、ヒートポンプ運転用凝縮器５から流出した高圧中温冷媒が保有する温熱の一部が、圧縮機１に流入する直前の低圧中温冷媒に受け渡される。したがって、圧縮機１の負荷が低減（過熱度が増大）され、省エネが促進される。
【００２１】
このとき、開閉弁１２ｖが閉じ、冷却用膨張手段３が設置されている（電子膨張弁の場合、開度が最小面積に絞られている）から、高圧中温冷媒がヒートポンプ運転用凝縮器５に流入することがない。また、開閉弁３４ｖａが閉じているから、左室蒸発器４ａに低圧低温冷媒および低圧中温冷媒が流入することがない。
なお、低圧低温配管３４にはそれぞれ流量調整弁３４ｗが設置されているから、商品収納庫４００は、それぞれに流入する低圧低温冷媒の量が調整されることによって、所定の温度に制御されている。さらに、たとえば、開閉弁３４ｖを閉じれば、右室４００ｃは冷却されないから、ＨＣ運転モードを実行することも可能である。
【００２２】
（三重式熱交換器）
図４の（ａ）において、三重式熱交換器９は、低圧中温配管４１の一部の内部に、冷却用高圧中温配管２３の一部が挿入されると共に、低圧中温配管４１の外周にヒートポンプ運転用高圧中温配管５６の一部が捲回されている。このとき、低圧中温配管４１とヒートポンプ運転用高圧中温配管５６とは当接しているから、相互に熱伝達可能になっている。
したがって、ＣＣＣ運転モードにおいては、冷却用高圧中温配管２３から、その周囲を流れる低圧中温冷媒に、温熱が伝達される。一方、ＨＣＣ運転モードにおいては、ヒートポンプ運転用高圧中温配管５６から低圧中温配管４１に熱伝達された後、低圧中温配管４１の内部を流れる低圧中温冷媒に、温熱が伝達される。
すなわち、三重式熱交換器９は、３本の配管が熱伝達可能に、しかもコンパクトに構成されているから、省エネを促進すると共に、小型化による自動販売機１０００における配置の自由度を増している。
【００２３】
図４の（ｂ）において、三重式熱交換器９ｂは、低圧中温配管４１の外周に捲回したヒートポンプ運転用高圧中温配管５６を、低圧中温配管４１に「はんだ付け」したものである（図中、「Ｈ」にて模式的に示す）。したがって、両者の間の熱伝達が促進され、三重式熱交換器９の熱交換性能が向上している。なお、前記はんだ付けに替えて、ロウ付け、溶接、圧接等、何れの冶金的な接合であってもよい。
【００２４】
［実施の形態２］
（自動販売機）
図５〜図７は本発明の実施の形態２に係る自動販売機を説明するものであって、図５はこれに設置された冷却回路の構成図、図６および図７は部分（二重式熱交換器）の実施例を模式的に示す一部断面の斜視図である。なお、実施の形態１と同じ部分にはこれと同じ符号を付し、一部の説明を省略する。
図５において、自動販売機２０００は、ガスクーラ２と冷却用膨張手段３とを連結する冷却用高圧中温配管２３が、実施の形態１の三重式熱交換器９に替えて、冷却用熱交換器７を通過している。
また、蒸発器４と圧縮機１とを連結する低圧中温配管４１は、三重式熱交換器９に替えて、冷却用熱交換器７（二重式熱交換器に同じ）およびヒートポンプ運転用熱交換器８（二重式熱交換器に同じ）を通過している。
さらに、ヒートポンプ運転用凝縮器５とヒートポンプ運転用膨張手段６とを連結するヒートポンプ運転用高圧中温配管５６は、三重式熱交換器９に替えて、ヒートポンプ運転用熱交換器８（二重式熱交換器に同じ）を通過している。
【００２５】
（ＣＣＣ運転モード）
図５の（ａ）において、全ての商品収納庫４００を冷却するＣＣＣ運転モードのとき、圧縮機１において圧縮された冷媒はガスクーラ２を経由して冷却用膨張手段３に流入し、冷却用膨張手段３において膨張した後、全ての商品収納庫４００に供給される。そして、全ての商品収納庫４００を冷却した（冷熱を放出した）後、圧縮機１に戻る循環をする。
そして、冷却用熱交換器７において、ガスクーラ２から流出した高圧中温冷媒が保有する温熱の一部が、圧縮機１に流入する直前の低圧中温冷媒に受け渡される。したがって、圧縮機１の負荷が低減（過熱度が増大）され、省エネが促進される。
【００２６】
このとき、開閉弁１５ｖが閉じているから、高圧高温冷媒がヒートポンプ運転用凝縮器５に流入することがない。また、開閉弁５６ｖが閉じてヒートポンプ運転用膨張手段６が設置されている（電子膨張弁の場合、開度が最小面積に絞られている）から、高圧中温冷媒がヒートポンプ運転用凝縮器５に流入することがない。
なお、低圧低温配管３４にはそれぞれ流量調整弁３４ｗが設置されているから、商品収納庫４００は、それぞれに流入する低圧低温冷媒の量が調整されることによって、所定の温度に制御されている。
【００２７】
（ＨＣＣ運転モード）
図５の（ｂ）において、左室４００ａを加熱して、中室４００ｂと右室４００ｃを冷却するＨＣＣ運転モードのとき、圧縮機１において圧縮された冷媒は、まず、ヒートポンプ運転用凝縮器５に流入して左室４００ａを加熱する。その後、ヒートポンプ運転用凝縮器５から流出した高圧中温冷媒はヒートポンプ運転用熱交換器８を通過してヒートポンプ運転用膨張手段６に流入し、ヒートポンプ運転用膨張手段６において膨張した低圧低温冷媒は、中室蒸発器４ｂおよび右室蒸発器４ｃに流入する。さらに、中室蒸発器４ｂおよび右室蒸発器４ｃから流出した低圧中温冷媒は、ヒートポンプ運転用熱交換器８を通過して圧縮機１に戻る循環をする。
すなわち、ヒートポンプ運転用熱交換器８において、ヒートポンプ運転用凝縮器５から流出した高圧中温冷媒が保有する温熱の一部が、圧縮機１に流入する直前の低圧中温冷媒に受け渡される。したがって、過熱度が増大され、省エネが促進される。
【００２８】
このとき、開閉弁１２ｖが閉じ、冷却用膨張手段３が設置されている（電子膨張弁の場合、開度が最小面積に絞られている）から、高圧中温冷媒がヒートポンプ運転用凝縮器５に流入することがない。また、開閉弁３４ｖａが閉じているから、左室蒸発器４ａに低圧低温冷媒および低圧中温冷媒が流入することがない。
なお、低圧低温配管３４にはそれぞれ流量調整弁３４ｗが設置されているから、商品収納庫４００は、それぞれに流入する低圧低温冷媒の量が調整されることによって、所定の温度に制御されている。さらに、たとえば、開閉弁３４ｖを閉じれば、右室４００ｃは冷却されないから、ＨＣ運転モードを実行することも可能である。
【００２９】
（二重式熱交換器）
図６において、冷却用熱交換器７は、低圧中温配管４１の一部の内部に、冷却用高圧中温配管２３の一部が挿入されている。したがって、ＣＣＣ運転モードにおいては、冷却用高圧中温配管２３から、その周囲を流れる低圧中温冷媒に、温熱が伝達される。
このとき、低圧中温冷媒の流れ方向と高圧中温冷媒の流れ方向が対向するようにしておけば、冷却用熱交換器７の広い範囲において、前者と後者との温度差がより均一化され、熱伝達効率が向上する。
【００３０】
図７において、ヒートポンプ運転用熱交換器８は、低圧中温配管４１の一部の内部に、ヒートポンプ運転用高圧中温配管５６の一部が挿入されている。したがって、ＨＣＣ運転モードにおいては、ヒートポンプ運転用高圧中温配管５６から、その周囲を流れる低圧中温冷媒に、温熱が伝達される。このとき、冷却用熱交換器７と同様に、両冷媒の流れ方向を対向流にしておけば、ヒートポンプ運転用熱交換器８の広い範囲において、両冷媒の温度差がより均一化され、熱伝達効率が向上する。
【００３１】
［実施の形態３］
（自動販売機）
図８は本発明の実施の形態３に係る自動販売機を説明するものであって、これに設置された冷却回路の構成図である。なお、実施の形態１と同じ部分にはこれと同じ符号を付し、一部の説明を省略する。
図８において、自動販売機３０００は、自動販売機１０００の冷却回路に、商品収納庫４００の外部に設置され、ヒートポンプ運転用膨張手段６において膨張した冷媒を供給することができる庫外蒸発器１０を追加したものである。
【００３２】
すなわち、ヒートポンプ運転用膨張手段６と庫外蒸発器１０とは開閉弁６１０ｖが設置された庫外蒸発配管６１０によって連結され、庫外蒸発器１０の出側は、蒸発器４の出側（三重式熱交換器９の上流）において低圧中温配管４１に接続されている。
したがって、自動販売機１０００の作用効果に追加して、左室４００ａを加熱して、中室４００ｂおよび右室４００ｃを冷却しない「Ｈ運転モード」を実行することができる。
【産業上の利用可能性】
【００３３】
本発明によれば、簡素な構造で省エネを推進することができる熱交換器を有し、いろいろな運転モードを実行することができるから、各種自動販売機として広く利用することができる。
【図面の簡単な説明】
【００３４】
【図１】本発明の実施の形態１に係る自動販売機を説明する正面視の断面図。
【図２】図１に示す自動販売機を説明する側面視の断面図。
【図３】図１に示す自動販売機に設置された冷却回路の構成図。
【図４】図１に示す自動販売機の部分（三重式熱交換器）の実施例を模式的に示す一部断面の斜視図。
【図５】本発明の実施の形態２に係る自動販売機に設置された冷却回路の構成図。
【図６】図５に示す自動販売機の部分（二重式熱交換器）の実施例を模式的に示す一部断面の斜視図。
【図７】図５に示す自動販売機の部分（二重式熱交換器）の実施例を模式的に示す一部断面の斜視図。
【図８】本発明の実施の形態３に係る自動販売機を説明する冷却回路の構成図。
【符号の説明】
【００３５】
１ 圧縮機
２ ガスクーラ
３ 冷却用膨張手段
４ 蒸発器
５ ヒートポンプ運転用凝縮器
６ ヒートポンプ運転用膨張手段
７ 冷却用熱交換器
８ ヒートポンプ運転用熱交換器
９ 三重式熱交換器
１０ 庫外蒸発器
１２ 冷却用高圧高温配管
１２ｖ 開閉弁
１５ ヒートポンプ運転用高圧高温配管
１５ｖ 開閉弁
２３ 冷却用高圧中温配管
３４ 低圧低温配管
３４ｖ 開閉弁
３４ｗ 流量調整弁
４１ 低圧中温配管
５６ ヒートポンプ運転用高圧中温配管
５６ｖ 開閉弁
２００ キャビネット
３００ 断熱材
４００ 商品収納庫
４０３ａｂ 仕切り板
４０３ｂｃ 仕切り板
４０４ 商品補充用扉
４０５ 内扉
４０６ 前扉
４０７ 商品収納ラック
４０８ 商品誘導板
４０９ 商品取出し口
４１０ 庫内部品収納室
４２０ 循環ダクト
４３０ 送風手段
４４０ 庫内熱交換器
４５０ 送風ダクト
４６０ 風洞
４７０ コンデンシングユニット
４８０ 機械室
４８１ 庫外ファン
４９０ 電装品収納室
６１０ 庫外蒸発配管
６１０ｖ 開閉弁
１０００ 自動販売機(実施の形態１)
２０００ 自動販売機(実施の形態２)
３０００ 自動販売機(実施の形態３)
Ｓ 商品
【図１】
2010020711.tif 000003
【図２】
2010020711.tif 000004
【図３】
2010020711.tif 000005
【図４】
2010020711.tif 000006
【図５】
2010020711.tif 000007
【図６】
2010020711.tif 000008
【図７】
2010020711.tif 000009
【図８】
2010020711.tif 000010